(57)【要約】【課題】  最大パワーリザーブ量に関わらず表示領域が一定に保たれるパワーリザーブ表示装置及び腕時計の提供【解決手段】  腕時計のパワーリザーブ表示装置１は、同軸の第一及び第二太陽車及び遊星中間車、偏心位置で遊星中間車に回転自在に支持され第二太陽車のかな部に噛合した第一遊星車、第一遊星車と一体的で第一太陽車に噛合した第二遊星車、並びに第一太陽車と同軸のつめ車を備えた遊星車機構３と、角穴車の回転を第二太陽車に伝える遊星伝え車と、遊星中間車の一部をなし香箱車に噛合した遊星中間歯車と、つめ車に噛合した巻印中間車及びそのかな部に噛合した巻印車と、巻印車の真に装着された表示指針とを有し、遊星伝え車２０及び第二太陽車４０の夫々が複数の歯車２２，２３，４２，４３を同軸に備え、両車の噛合歯車を変えるべく第二太陽真が長手方向に位置調整可能で、第二遊星車と第一太陽車との歯数比が調整可能である。【選択図】    図１
2007147432.tif 000002
【特許請求の範囲】
【請求項１】
同軸の第一及び第二太陽車、該第一太陽車と同軸の遊星中間車、偏心位置において該遊星中間車により回転自在に支持され前記第二太陽車のかな部に噛合した第一遊星車、該第一遊星車と同軸且つ一体的で前記第一太陽車に噛合した第二遊星車、並びに前記第一太陽車と同軸のつめ車を備えた遊星車機構と、
角穴車の回転を前記第二太陽車に伝達する遊星伝え車と、
前記遊星中間車の一部をなし香箱車に噛合した遊星中間歯車と、
前記つめ車に歯車部で噛合した巻印中間車及び該巻印中間車のかな部に噛合した巻印車と、
該巻印車の真に取付けられた表示指針と
を有するパワーリザーブ表示装置であって、
前記遊星伝え車が遊星伝え歯車と該遊星伝え歯車とは径の異なる別の歯車部とを同軸に備え、
前記第二太陽車が複数の第二太陽歯車を同軸に備え、且つ該複数の第二太陽歯車のうちの一つの第二太陽歯車が前記遊星伝え歯車に噛合する位置と別の第二太陽歯車が前記遊星伝え車の前記別の歯車部に噛合する位置との間で第二太陽真がその中心軸線の延在方向に位置調整可能であり、
前記第二遊星車と前記第一太陽車との歯数比が調整可能である
パワーリザーブ表示装置。
【請求項２】
前記遊星伝え車の前記別の歯車部が同軸に一体的に配置された複数の同軸の歯車部からなり、
前記第二太陽車が三つ以上の第二太陽歯車を同軸に備え、且つ該複数の第二太陽歯車のうちの一つの第二太陽歯車が前記遊星伝え歯車に噛合する位置と、別の一つの第二太陽歯車が前記遊星伝え車の前記別の複数の歯車部のうちの一つの歯車部に噛合する位置と、更に別の一つの第二太陽歯車が前記遊星伝え車の前記別の複数の歯車部のうちの別の一つの歯車部に噛合する位置との間で該第二太陽真の中心軸線の延在方向に位置調整可能である
請求項１に記載のパワーリザーブ表示装置。
【請求項３】
太陽真のほぞ部の穴石を調整することにより前記第二太陽真の中心軸線の延在方向に関する前記第二太陽真の前記位置調整が行われるように構成された請求項１又は２に記載のパワーリザーブ表示装置。
【請求項４】
太陽真のほぞ部を支える針座により前記第二太陽真の中心軸線の延在方向に関する前記第二太陽真の前記位置調整が行われるように構成された請求項１又は２に記載のパワーリザーブ表示装置。
【請求項５】
太陽真のほぞ部の端面にスラスト力を及ぼすばねにより前記第二太陽真の中心軸線の延在方向に関する前記第二太陽真の前記位置調整が行われるように構成された請求項１又は２に記載のパワーリザーブ表示装置。
【請求項６】
同軸の第一及び第二太陽車、該第一太陽車と同軸の遊星中間車、偏心位置において該遊星中間車により回転自在に支持され前記第二太陽車のかな部に噛合した第一遊星車、該第一遊星車と同軸且つ一体的で前記第一太陽車に噛合した第二遊星車、並びに前記第一太陽車と同軸且つ一体的なつめ車を備えた遊星車機構と、
角穴車の回転を前記第二太陽車に伝達する遊星伝え車と、
前記遊星中間車の一部をなし香箱車に噛合した遊星中間歯車と、
前記つめ車に歯車部で噛合した巻印中間車及び該巻印中間車のかな部に噛合した巻印車と、
該巻印車の真に取付けられた表示指針と
を有するパワーリザーブ表示装置であって、
前記遊星伝え車が遊星伝え歯車と該遊星伝え歯車とは径の異なる別の歯車部とを同軸に備え、
前記第二太陽歯車が前記遊星伝え歯車に噛合するものと前記遊星伝え車の前記別の歯車部に噛合するものとから選択的に装着可能であり、
前記第二遊星車と前記第一太陽車との歯数比が調整可能である
パワーリザーブ表示装置。
【請求項７】
前記巻印中間かなと前記巻印車との歯数比が変更されるように構成された請求項１から６までのいずれか一つの項に記載のパワーリザーブ表示装置。
【請求項８】
前記つめ車に係合する前記巻印中間車の歯数が変更されるように構成された請求項１から７までのいずれか一つの項に記載のパワーリザーブ表示装置。
【請求項９】
前記表示指針の回動角度範囲が９０度以下である請求項１から８までのいずれか一つの項に記載のパワーリザーブ表示装置。
【請求項１０】
請求項１から９までのいずれか一つの項に記載のパワーリザーブ表示装置を備えた腕時計。
【発明の詳細な説明】
【技術分野】
【０００１】
本発明はぜんまいの残量を表示するパワーリザーブ表示装置に係り、より詳しくは腕時計のような携帯型の小型の時計（ウオッチ）に用いられるに適したパワーリザーブ表示装置に係る。
【背景技術】
【０００２】
腕時計のパワーリザーブ表示装置として、同軸の第一及び第二太陽車、該第一太陽車と同軸の遊星中間車、偏心位置において該遊星中間車により回転自在に支持され前記第二太陽車のかな部に噛合した第一遊星車、該第一遊星車と同軸且つ一体的で前記第一太陽車に噛合した第二遊星車、並びに前記第一太陽車と同軸のつめ車を備えた遊星車機構と、角穴車の回転を前記第二太陽車に伝達する遊星伝え車と、前記遊星中間車の一部をなし香箱車に噛合した遊星中間歯車と、前記つめ車に歯車部で噛合した巻印中間車及び該巻印中間車のかな部に噛合した巻印車と、該巻印車の真に取付けられた表示指針とを有するものは、知られている（例えば、特許文献１）。
【０００３】
パワーリザーブ表示装置を備えた腕時計において、ユーザのニーズに合わせて最大パワーリザーブ量（フルに巻上げられたぜんまいが完全にほどけるまでの持続時間）の異なる製品を品揃えしておく必要性は高い。最大パワーリザーブ量は、典型的には、ぜんまいの長さに依存し、ぜんまいが長くなる程大きく（長く）なる。従って、長さの異なるぜんまいを備えた香箱を準備するだけで、他の部品を実際上変更しなくても、最大パワーリザーブ量自体は変更可能である。
【０００４】
この種のパワーリザーブ表示装置では、パワーリザーブ量は、表示指針がその回転中心軸線のまわりで回動することにより表示される。この表示指針による表示領域は、典型的には、扇形である。従って、最大パワーリザーブ量が大きくなるようにぜんまいを長くした場合、扇形領域の中心角（作動角）が大きくなる。
【０００５】
しかしながら、作動角を大きく採ろうとすると、他の表示手段等による表示領域やロゴマークその他の印の表示領域と重なってしまう虞れがある。その結果、表示領域を増大させる場合には、巻印車の配置自体を変える必要があり、それに応じて関連輪列を含む各種時計部品の配置を変更する必要が生じる虞れが高い。
【特許文献１】特開平１１−１８３６４２号公報
【発明の開示】
【発明が解決しようとする課題】
【０００６】
本発明は、前記した点に鑑みなされたものであって、その目的とするところは、最大パワーリザーブ量が変更される場合でも、表示領域の拡がりが一定に保たれ得、時計部品の変更が最小限に抑えられ得るパワーリザーブ表示装置及びこれを備えた腕時計を提供することにある。
【課題を解決するための手段】
【０００７】
本発明の一観点のパワーリザーブ表示装置は、前記目的を達成すべく、同軸の第一及び第二太陽車、該第一太陽車と同軸の遊星中間車、偏心位置において該遊星中間車により回転自在に支持され前記第二太陽車のかな部に噛合した第一遊星車、該第一遊星車と同軸且つ一体的で前記第一太陽車に噛合した第二遊星車、並びに前記第一太陽車と同軸のつめ車を備えた遊星車機構と、角穴車の回転を前記第二太陽車に伝達する遊星伝え車と、前記遊星中間車の一部をなし香箱車に噛合した遊星中間歯車と、前記つめ車に歯車部で噛合した巻印中間車及び該巻印中間車のかな部に噛合した巻印車と、該巻印車の真に取付けられた表示指針とを有するパワーリザーブ表示装置であって、前記遊星伝え車が遊星伝え歯車と該遊星伝え歯車とは径の異なる別の歯車部とを同軸に備え、前記第二太陽車が複数の第二太陽歯車を同軸に備え、且つ該複数の第二太陽歯車のうちの一つの第二太陽歯車が前記遊星伝え歯車に噛合する位置と別の第二太陽歯車が前記遊星伝え車の前記別の歯車部に噛合する位置との間で第二太陽真がその中心軸線の延在方向に位置調整可能であり、前記第二遊星車と前記第一太陽車との歯数比が調整可能である。
【０００８】
本発明のパワーリザーブ表示装置では、「遊星伝え車が遊星伝え歯車と該遊星伝え歯車とは径の異なる別の歯車部とを同軸に備え、第二太陽車が複数の第二太陽歯車を同軸に備え、且つ該複数の第二太陽歯車のうちの一つの第二太陽歯車が遊星伝え歯車に噛合する位置と別の第二太陽歯車が遊星伝え車の別の歯車部に噛合する位置との間で該第二太陽真がその中心軸線の延在方向に位置調整可能である」ので、最大パワーリザーブ量が最大限の大きさである場合、例えば複数の第二太陽歯車のうちの一つの第二太陽歯車が遊星伝え歯車に噛合する位置に第二太陽真を位置決めし、最大パワーリザーブ量を小さくする場合、例えば複数の第二太陽歯車のうちの別の第二太陽歯車が遊星伝え車の別の歯車部（この場合、この歯車部の径は遊星伝え歯車の径よりも小さい）に噛合する位置に第二太陽真を位置決めすればよい。ここで、典型的には、遊星伝え歯車が角穴車に噛合している。なお、実際には、異なる最大パワーリザーブ量（持続時間）に対して表示領域すなわち表示指針の作動角を同一に保つために、「第二遊星車と第一太陽車との歯数比」を変更する。従って、該変更歯数比に応じて、第二太陽車の前記別の第二太陽歯車と遊星伝え車の前記別の歯車部との歯数比を調整しておくことになる。
【０００９】
本発明のパワーリザーブ表示装置では、「遊星伝え車が遊星伝え歯車と該遊星伝え歯車とは径の異なる別の歯車部とを同軸に備え」、遊星伝え車の該別の歯車部と前記別の第二太陽歯車とを噛合させるようにしているので、角穴車と第二太陽車との歯数比を変える際に、遊星伝え車及び第二太陽車の軸の位置を変える必要がない。即ち、一つの遊星伝え歯車が角穴車と第二太陽歯車との両方に噛合する場合、第二太陽歯車の歯数を変えるべく第二太陽車（又は該第二太陽車及び遊星伝え歯車）の径を変更すると、第二太陽車（又は該第二太陽車及び遊星伝え歯車）の回転中心軸の位置自体を変更する必要があり、地板や各種の受の軸受穴の位置まで変更することが必要になってしまうけれども、本発明のパワーリザーブ表示装置では、「遊星伝え車が遊星伝え歯車と該遊星伝え歯車とは径の異なる別の歯車部とを同軸に備える」構造になっているので、遊星伝え歯車及び第二太陽歯車の回転中心軸の位置自体を変更する必要がなく、地板や各種の受の軸受穴の位置を変更する必要がない。なお、「第二遊星車と第一太陽車との歯数比」の変更は、両歯車の歯数や径の変更で済むので、地板や各種の受の軸受穴の位置を変更する必要がない。遊星伝え車の前記別の歯車部は、典型的には、小歯車（かな）すなわち遊星伝えかなからなるけれども、場合によっては、遊星伝え歯車よりも大径の歯車部であってもよい。
【００１０】
なお、本発明のようなパワーリザーブ表示装置において、単純には、例えば、巻印中間かなと巻印歯車との歯数比を変えることが考えられる。しかしながら、このような変更は、以下に記載の理由により、実際的ではない。
【００１１】
すなわち、腕時計では、巻印中間かなの径は通常０．５ｍｍよりも小さく、例えば、０．３ｍｍ程度であり、その歯数は通常１０以下、例えば、８個程度である。従って、巻印中間かなの歯数の変更は高々１〜２種類に限られ、そのような変更割合を最大パワーリザーブ量の変更割合に一致させることは一般には困難である。その結果、巻印中間かなの歯数変更に伴う巻印中間かなと巻印歯車との歯数比変更割合に適合する不自然な大きさに最大パワーリザーブ量を設定せざるを得なくなる虞れもある。従って、巻印中間かなと巻印歯車との歯数比の変更によっては、上記目的は達成され難い。
【００１２】
また、本発明のようなパワーリザーブ表示装置において、例えば、つめ車と巻印中間歯車との減速比を変えることも考えられる。しかしながら、この変更も、以下に記載の理由により、実際的ではない。
【００１３】
すなわち、腕時計では、巻印中間歯車の径は例えば１．２ｍｍ程度であり、その歯数は１０程度である。一方、つめ車のつめによる巻印中間歯車の確実な間欠回転のためには、巻印中間歯車の回転位置を規正するジャンパを該中間歯車の隣接歯の間に弾性的に押付けることが不可欠である。このジャンパの作動領域すなわち弾性変形による揺動領域の確保を考慮すると、巻印中間歯車の歯数を増やすことは容易でない。また、つめ車のつめの数は元々少ない（例えば２つ程度）であるから、つめの数を更に減らしたり増やしたりすることは、半減や１．５倍の倍増のような大きな変動をもたらすもので、数１０％程度以下の最大パワーリザーブ量の変更には多くの場合利用され難い。
【００１４】
例えば、最大パワーリザーブ量として、４８時間，６０時間及び７２時間の三種類を提供可能にする場合、歯数比の割合を、４：５：６で変更可能にする必要があるけれども、巻印中間かなと巻印歯車との歯数比や巻印中間車の歯数やつめ車のつめの数の調整により、このような細かい調整を可能にすることは、腕時計の小さなパワーリザーブ表示機構では、実際上容易でない。これに対して、本発明のパワーリザーブ表示装置では、遊星伝え車に遊星伝え歯車以外に少なくとも一種類の歯車部を設けることにより、他の輪列その他の時計部品に与える影響を最低限にしつつ、細かい調整が可能になる。なお、香箱車からつめ車への回転伝達経路では、第一及び第二遊星車と第二及び第一太陽車との噛合構造が差動歯車として働くので、減速比の調整は比較的容易に行われ得、その調整量が角穴車からつめ車への回転伝達経路に与える影響は比較的小さい。
【００１５】
所望ならば、第二遊星車及び第一太陽歯車の歯数を変える代わりに、又は該変更と同時に第一遊星車及び第二太陽かなの歯数を変えるようにしてもよい。
【００１６】
本発明のパワーリザーブ表示装置では、例えば、遊星伝え車の前記別の歯車部が同軸に一体的に配置された複数の同軸の歯車部からなっていてもよい。その場合、第二太陽真に三つ以上の第二太陽歯車が同軸に取付けられ、且つ該複数の第二太陽歯車のうちの一つの第二太陽歯車が遊星伝え歯車に噛合する位置と、別の一つの第二太陽歯車が遊星伝え車の前記別の歯車部のうちの一つの歯車部に噛合する位置と、更に別の一つの第二太陽歯車が遊星伝え車の前記別の歯車部のうちの別の一つの歯車部に噛合する位置との間で該第二太陽真の中心軸線の延在方向に位置調整可能に構成される。ここで、遊星伝え車の別の歯車部は典型的には小歯車部（かな）即ち遊星伝え車よりも小径の歯車部からなるけれども、場合によっては、少なくとも一部が遊星伝え車よりも大径の歯車部であってもよい。
【００１７】
そのようなパワーリザーブ表示装置では、表示領域（表示指針の作動角）が同一に保たれたままで、三種類以上の最大パワーリザーブ量が設定可能になる。
【００１８】
本発明のパワーリザーブ表示装置では、第二太陽真の中心軸線の延在方向に関する第二太陽真の前記位置調整が、例えば、太陽真のほぞ部の穴石を調整することにより行われるように構成されても、太陽真のほぞ部を支える針座により行われるように構成されても、太陽真のほぞ部の端面にスラスト力を及ぼすばねにより行われるように構成されてもよい。ここで、関与する太陽真のほぞ部は、第一及び第二太陽真の両方のほぞ部であっても、第一及び第二太陽真のうちのいずれか一方の太陽真すなわち第一又は第二太陽真のほぞ部であってもよい。
【００１９】
本発明の別の一観点のパワーリザーブ表示装置は、前記目的を達成すべく、同軸の第一及び第二太陽車、該第一太陽車と同軸の遊星中間車、偏心位置において該遊星中間車により回転自在に支持され前記第二太陽車のかな部に噛合した第一遊星車、該第一遊星車と同軸且つ一体的で前記第一太陽車に噛合した第二遊星車、並びに前記第一太陽車と同軸且つ一体的なつめ車を備えた遊星車機構と、角穴車の回転を前記第二太陽車に伝達する遊星伝え車と、前記遊星中間車の一部をなし香箱車に噛合した遊星中間歯車と、前記つめ車に歯車部で噛合した巻印中間車及び該巻印中間車のかな部に噛合した巻印車と、該巻印車の真に取付けられた表示指針とを有するパワーリザーブ表示装置であって、前記遊星伝え車が遊星伝え歯車と該遊星伝え歯車とは径の異なる別の歯車部とを同軸に備え、前記第二太陽歯車が前記遊星伝え歯車に噛合するものと前記遊星伝え車の前記別の歯車部に噛合するものとから選択的に装着可能であり、前記第二遊星車と前記第一太陽車との歯数比が調整可能である。
【００２０】
すなわち、上述の一観点のパワーリザーブ表示装置ように「第二太陽車が複数の第二太陽歯車を同軸に備え、且つ該複数の第二太陽歯車のうちの一つの第二太陽歯車が遊星伝え歯車に噛合する位置と別の第二太陽歯車が遊星伝えかなに噛合する位置との間で該第二太陽真の中心軸線の延在方向に位置調整可能である」代わりに、「第二太陽歯車が遊星伝え歯車に噛合するものと該遊星伝え歯車とは径の異なる別の歯車に噛合するものとから選択的に装着可能」になっていてもよい。
【００２１】
この場合、共通部品が少なくなるけれども、その代わりに、構造が簡単化されるだけでなく、変更されるべき最大パワーリザーブ量の種類が多くても、その厚さの増大を最低限に抑え得る。
【００２２】
本発明のパワーリザーブ表示装置において、減速比の以上のような細かい調整が可能である条件下では、更に、巻印中間かなと巻印車との歯数比が変更されるように構成されたり、つめ車に係合する巻印中間車の歯数やつめ車のつめの数が変更されるように構成されたりすることにより、歯数比の比較的大きな変更をこれらの部分で行わせるようになっていてもよい。
【００２３】
本発明のパワーリザーブ表示装置では、典型的には、表示指針の回動角度範囲（作動角）が９０度以下である。これにより、他の部品の配置を制約する虞れを比較的低く抑え得る。なお、表示指針の回動角度範囲は、典型的には、例えば、６０度（程度）や４５度（程度）であり得る。但し、場合によっては、表示指針の回動角度範囲（作動角）が９０度よりも大きくてもよい。
【００２４】
以上のような本発明のパワーリザーブ表示装置は、腕時計に組込まれて、機械式腕時計のぜんまい残量の表示に用いられる。ここで、腕時計は、時計の小ささの程度を明確化するための条件であって、腕装置着機構を欠くけれども本来手首に装着されるに適した大きさ又はこれと同程度の懐中時計等を含む趣旨である。
【発明を実施するための最良の形態】
【００２５】
本発明の好ましい実施の形態のいくつかを添付図面に示した好ましい実施例に基づいて説明する。
【実施例１】
【００２６】
図１及び図２の（ａ）には、本発明の好ましい第一実施例のパワーリザーブ表示装置１を備えた腕時計２が示されている。腕時計２は、文字板５の一部に扇形のパワーリザーブ表示部６を備える。
【００２７】
腕時計２の断面を示した図１からわかるとおり、地板７と香箱受８との間には、香箱９が配置されている。香箱９は、外周に香箱歯車１０を備えた香箱車１１と、該香箱車１１と同軸の香箱真（図示せず）と、該香箱真（図示せず）に固定された角穴車１２と、香箱車１１の室Ｒ内に配置され香箱真（図示せず）と香箱車１１とに係合された渦巻きばねの形態のぜんまい１３とを有する。ぜんまい１３は、ユーザが腕時計２を手首にははめて手首を動かしたり時計２を手に持って振ったりする際に、自動巻機構（図示せず）により巻上げられる。また、時計２では、竜頭４をつまんで巻くことによっても、ぜんまい１３が巻上げられる。
【００２８】
また、図１からわかるとおり、地板７と三番受１４との間には、パワーリザーブ表示装置１のパワーリザーブ機構３が配設されている。ここで、パワーリザーブ機構３は、パワーリザーブ表示装置１のうちの輪列部分を指す。
【００２９】
パワーリザーブ表示機構３は、遊星伝え車２０と、第一及び第二太陽車３０，４０と、遊星車５０と、遊星中間車６０と、つめ車７０と、巻印中間車７５と、巻印車８０とを備える。
【００３０】
遊星伝え車２０は、三番受１４と香箱受８との間において中心軸線Ｂのまわりで回転自在に支持された真部２１と、該遊星伝え真部２１に嵌着され角穴車１２に噛合した歯車部２２と、真部２１に一体的で遊星伝え歯車部２２よりも小径で歯数の少ないかな部２３とを備える。
【００３１】
第一及び第二太陽車３０，４０並びに遊星中間車６０は同軸であり、その共通中心軸線はＤである。この例では、第一太陽車３０の真部すなわち第一太陽真３１が、両端のほぞ部３２，３３において地板７及び三番受１４の軸受部１５，１６により回転自在に支持されている。
【００３２】
第一太陽真３１は、小径真部３４と、中径真部３５と、大径真部３６とを有する。中径真部３５には遊星中間車６０が回転自在に嵌合され、小径真部３４には第二太陽車４０の筒状の真部すなわち第二太陽真４１が回転自在に嵌合されている。その代わりに、例えば、第二太陽真のまわりに第一太陽真や遊星中間車が回転自在に嵌合されていてもよい。
【００３３】
地板７の軸受部１５には、穴石ないし受石１７が余分に配置され、これにより、第一太陽真３１がＺ１方向に変位した位置Ｐ１に設定されている。
【００３４】
第二太陽車４０は、筒状の第二太陽真４１に加えて、該第二太陽真４１の延在方向Ｚに間隔Ｕをおいて該第二太陽真４１に嵌着された中径の第二太陽歯車部４２及び大径の第二太陽歯車部４３を有する。この例では、前述のように、第一太陽真４１がＺ１方向に変位した位置Ｐ１に設定されることにより、第二太陽車４０の大径歯車部４３が遊星伝え車２０のかな部２３に噛合されている。第二太陽車４０は、更に、真部４１の地板７側にかな部４４を備える。
【００３５】
第一太陽車３０は、大径真部３６の外周に歯車部すなわち第一太陽歯車３７を有する。第一太陽歯車３７の径は、第二太陽かな４４の径よりも若干大きい。
【００３６】
遊星中間車６０は、偏心孔６１と外周の歯車部６２とを有する。外周の遊星中間歯車６２は、香箱歯車１０に噛合している。遊星中間歯車６２は、その軸方向変位位置にかかわらず香箱歯車１０に噛合し得るように、十分な軸方向長さ（幅）を有する。その代わりに、香箱歯車１０の軸方向長さ（幅）が大きくてもよい。遊星中間車６０の偏心貫通孔６１には、遊星車５０の遊星真５１が中心軸線Ｅのまわりで回転自在に嵌合されている。
【００３７】
遊星車５０は、遊星真５１の両端部に第一遊星歯車５２及び第二遊星歯車５３を一体的に備える。第一遊星車５４は遊星真５１と第一遊星歯車５２とからなり、第二遊星車５５は遊星真５１と第二遊星歯車５３とからなる。図示の例では、遊星真５１と第二遊星歯車５３とが一体的に形成され、第一遊星歯車５２が遊星真５１に嵌着されている。部品としては、遊星真５１が第一遊星歯車５２と一体的に成形され第二遊星歯車５３が嵌着されてもよい。
【００３８】
第一遊星歯車５２は第二太陽かな４４に噛合され、第二遊星歯車５３は第一太陽歯車３７に噛合されている。第一遊星歯車５２の径は、第二遊星歯車５３の径よりも若干大きい。
【００３９】
第一太陽真３１の地板側端部の近傍には別の中径真部３８が形成され、該真部３８には、つめ車７０が弾性的に嵌着されている。つめ車７０は、外周に二つのつめ部７１を１８０度間隔で備える。つめ車７０の基部は、中央に嵌合穴７２を備え全体として閉曲線をなす一対の弾性アーム７３からなる。従って、過大なトルクが作用すると、つめ車７０は、第一太陽車３０の真部３８に対してスベリ回転可能である。
【００４０】
地板７と日車押さえ１８との間には、巻印中間車７５及び巻印車８０が回転自在に支持されている。巻印中間車７５は、真部７６と、歯車部７７と、かな部７８とを有する。巻印中間歯車７７は、つめ車７０のつめ部７１が係合可能な歯部を備え、この例では、つめ車７０が１／２回転する毎に、該歯部につめ部７１が係合されて、一歯分すなわち一ピッチ分だけ中心軸線Ｆのまわりで回転される。なお、１９は日車である。
【００４１】
巻印車８０は、真部８１と、歯車部８２とを備える。巻印車８０は、巻印歯車８２で巻印中間かな７８に噛合され、巻印中間車７５の回転に応じて、中心軸線Ｇのまわりで回転される。巻印真８１は、日車押さえ１８及び文字板５の孔を貫通して文字板５の表面に突出した先端部８３を備え、該先端部８３に表示指針８４が取付けられている。
【００４２】
なお、腕時計２は、図２の（ａ）からわかるとおり、時計輪列（図示せず）を介して、時針９１、分針９２及び秒針９３からなる時刻表示針が、文字板５の前面において中心軸線Ｃのまわりで回転される。文字板５の１２時の近傍の領域９４には、例えば、ロゴその他のマークが付されている。領域９４は、他の表示指針の作動領域になるなど他の目的で使用されてもよい。
【００４３】
腕時計２は、文字板５の一部に扇形のパワーリザーブ表示部６を備える。このパワーリザーブ表示部６のうち目盛８５のある扇形の領域８６は、文字板５上において他の目的で使用されている領域等９４に近接しているけれども、該領域等９４に重ならないように選択されている。図１及び図２の（ａ）に示したパワーリザーブ表示装置１を備えた腕時計２の最大パワーリザーブ量は、７２時間であるので、目盛８５は、６０度程度の扇形のフルスケールが７２時間の表示になっている。
【００４４】
以上の如く構成された腕時計２において、パワーリザーブ表示機構１のおおまかな動作は次のとおりである。
【００４５】
巻上げに際しては、遊星中間車６０の回転が香箱車１１により規正されるので、遊星中間車６０が固定車として働く。従って、自動巻機構（図示せず）の作動により角穴車１２がその図示しない中心軸線のまわりでＡ１方向（裏蓋側から見て右回り）に回転すると、これに応じて、遊星伝え車２０がＢ１方向に回転し、第二太陽車４０がＤ１方向に回転し、遊星車５０がＥ１方向に回転し、第一太陽車３０及びつめ車７０がＤ１方向に回転し、巻印中間車７５がＦ１方向に回転するので、巻印車８０がＧ１方向に回転して、表示指針８４もＧ１方向に回転する。表示指針８４のＧ１方向回転は、該指針８４が目盛８５のうち最大パワーリザーブ量である「７２」を指す位置でストッパ（図示せず）が巻印車８０の回転を禁止することにより停止される。なお、その後の過度なトルクは、つめ車７０のスベリ嵌着部により回避される。
【００４６】
通常運針のためのぜんまい１３の巻戻しないしほどけに際しては、角穴車１２の逆方向回転がこはぜ（図示せず）により禁止されるので、遊星伝え車２０を介して角穴車１２に噛合した第二太陽車４０が固定車として働く。従って、香箱車１１がその図示しない中心軸線のまわりでＡ１方向に回転すると、遊星中間車６０がＤ２方向に回転し、遊星真５１がＤ２方向に公転し、第一遊星歯車５２よりも径の小さい第二遊星歯車５３に噛合した第一太陽車３０がＤ２方向に回転し、つめ車７０もＤ２方向に回転し、巻印中間車７５がＦ２方向に回転するので、巻印車８０がＧ２方向に回転して、表示指針８４もＧ２方向に回転する。従って、時刻表示針９１，９２，９３を通常運針させるぜんまい１３のほどけに伴うパワーリザーブ量（ぜんまい残量）の減少に応じて、パワーリザーブ量表示指針８４が徐々にＧ２方向に回動される。
【００４７】
一方、最大パワーリザーブ量を７２時間から６０時間に変えた場合を、図３及び図２の（ｂ）に基づいて、説明する。図３及び図２の（ｂ）において、図１及び図２の（ａ）と同様な部材や部位や要素には同一の符号が付され、部分的に異なる部材や部位や要素には後に添字ａが付されている。
【００４８】
最大パワーリザーブ量が６０時間の時計２ａでは、典型的には、香箱９ａのぜんまい１３ａの長さがぜんまい１３よりも短くなっている点を除いて、香箱９ａは香箱９と同様に構成されている。
【００４９】
時計２ａのパワーリザーブ表示機構１ａは、時計２のパワーリザーブ表示機構１とは、以下の点で異なる。
【００５０】
余分の穴石が、穴石１７として第一太陽真３１のほぞ部３２側において地板７の軸受部１５に配置される代わりに、裏蓋側において三番受１４の軸受部１６に穴石１７ａとして配置される。これにより、第一太陽真３１が、Ｚ１方向にズレた位置Ｐ１を採る代わりに、Ｚ２方向にズレた位置Ｐ２を採る。
【００５１】
この位置Ｐ２では、図３からわかるとおり、遊星伝え車２０のかな部２３と第二太陽車４０の大径の第二太陽歯車部４３との噛合が解除され、その代わりに、遊星伝え車２０の歯車部すなわち遊星伝え歯車２２と第二太陽車４０の中径の第二太陽歯車部４２とが噛合される。
【００５２】
巻上げの際の表示指針８４の回転は、遊星伝え車２０と第二太陽車４０との歯数比Ｊ（図示せず）に依存する。図１の時計２のパワーリザーブ表示装置１の場合、遊星伝え車２０と第二太陽車４０との歯数比Ｊ（図示せず）は、遊星伝え車２０の遊星伝えかな２３と第二太陽車４０の大径歯車部４３との歯数比Ｊ１（図示せず）である。一方、図３の時計２ａのパワーリザーブ表示装置１ａの場合、遊星伝え車２０と第二太陽車４０との歯数比Ｊ（図示せず）は、遊星伝え車２０の遊星歯車２２と第二太陽車４０の中径歯車部４２との歯数比Ｊ２（図示せず）である。当然ながら、Ｊ１＜Ｊ２であるから、第二太陽車４０を一定量だけ回転させるに要する角穴車１２の回転角は、時計２の方が時計２ａよりも大きい。すなわち、回転の伝達に関して第二太陽車４０よりも下流側の条件に大差がない限り、時計２ａでは、時計２よりも最大パワーリザーブ量の小さい表示を行うことになる。この例では、時計２の場合には、最大パワーリザーブ量が７２時間であったのに対して、時計２ａの最大パワーリザーブ量が６０時間に設定されている。
【００５３】
なお、実際には、巻戻しないしほどけの際に、表示指針８４が、最大パワーリザーブ量の低減（７２時間→６０時間）に応じて回転されるように、遊星車５０ａと第一太陽車３０ａとの相対回転が調整される。この例では、そのために、第二遊星車と第一太陽車との歯数比Ｋ（図示せず）が変更される。すなわち、図１の時計２の場合、第二遊星車５５の歯車部５３と第一太陽車３０の歯車部３７との歯数比Ｋ（図示せず）がＫ１（図示せず）であったのに対して、図３の時計２ａの場合、第二遊星車５５ａの歯車部５３ａと第一太陽車３０ａの歯車部３７ａとの歯数比Ｋ（図示せず）がＫ２（図示せず）に設定される。
【００５４】
この例の場合、香箱車１１ａのＡ１方向回転に伴う第一太陽車３０の回転角が相対的に増大するように、遊星車５０ａの公転の影響を大きくすべく、時計２ａのパワーリザーブ表示機構１ａでは、その第二遊星歯車５３ａが時計２のパワーリザーブ表示機構１の第二遊星歯車５３よりも小さい径に設定される。従って、歯数比Ｋ１（図示せず）＞Ｋ２（図示せず）になる。
【００５５】
ここで、歯車５２，５３や歯車５２ａ，５３は差動歯車を構成するから、歯車５３ａの径の減少量及び第一太陽歯車３７ａの径の増大量は比較的小さくてよい。従って、角穴車１２の回転に応じた巻上げ輪列としてみると、歯数比Ｋの減少（Ｋ１→Ｋ２）を補うように歯数比Ｊ（図示せず）の増大を多少大きくしておくことになる。
【００５６】
なお、時計２ａのパワーリザーブ表示機構１ａは、図２の（ｂ）に示したように、パワーリザーブ表示部６ａの目盛８５ａのフルスケールが７２時間の代わりに６０時間になる状態で指針８４が回転される点を除いて、時計２のパワーリザーブ表示機構１と同様に動作する。
【００５７】
従って、図１及び図３の時計２，２ａを対比すれば明らかなように、時計２ａでは、穴石を軸受１５の穴石１７として働く位置から軸受１６の穴石１７ａとして働く位置に付替えて遊星伝え車２０と第二太陽車４０との噛合に関与する歯車を歯車２３，４３から歯車２２，４２に変更し、第二遊星歯車５３と第一太陽車３７の歯数比を変更する（例えば、第二遊星歯車及び第一太陽歯車を取り替える）だけで、最大パワーリザーブ量が７２時間の時計２から６０時間の時計２ａに変更し得る。なお、勿論、文字板５も７２時間がフルスケールの目盛８５から６０時間がフルスケールの目盛８５ａのものに取り替える。
【００５８】
すなわち、時計２，２ａでは、ごく一部の部品を取替え、穴石１７を穴石１７ａに変えて、太陽真３１を位置Ｐ１からＰ２にずらすだけで、表示領域８６を変更したり各種輪列の配置を実際上変更することなく、最大パワーリザーブ量が変更され得る。
【００５９】
なお、太陽真３１をＺ２方向に偏倚した位置Ｐ２に設定するためには、穴石１７ａを軸受１６の所に配設する代わりに、図４に示したように、太陽真３１をＺ１方向の偏倚位置に位置決めする針座１７ｂを配設してもよい。
【００６０】
図４において、図３及び図２の（ｂ）と同様な部材や部位や要素には同一の符号が付され、部分的に異なる部材や部位や要素には後に添字ｂが付されている。
【００６１】
図４に示したパワーリザーブ表示装置１ｂを有する腕時計２ｂでは、パワーリザーブ機構３ｂにおいて、穴石１７ａが針座１７ｂに変更されている点を除いて、図３に示したパワーリザーブ機構３ａを備えたパワーリザーブ表示装置１ａを有する腕時計２ａと同様に構成されており、その動作も実際上同様である。なお、針座１７ｂが配設される三番受１４の凹部Ｈは、第二太陽車４０の中径歯車部４２の逃げ部として元々必要な部分であるから、穴石１７ａと比較してサイズが大きくなり易い針座１７ｂのために配設スペースをわざわざ確保する必要がなく、凹部Ｈの有効活用が図られる。勿論、所望ならば、凹部Ｈを針座１７ｂの装着に適した形状や大きさにしておいてもよい。
【００６２】
また、太陽真３１をＺ２方向に偏倚した位置Ｐ２に設定するために、穴石１７ａや針座１７ｂを用いる代わりに、図５に示したように、太陽真３１の端部３３の突出端面３９を板ばね１７ｃでＺ２方向に押えるようにしてもよい。板ばねの形態の太陽かなばね１７ｃは、基端部１７ｃ１において止めねじの如き固定手段１７ｃ２によって三番受１４ｃに固定され、先端部１７ｃ３において太陽真３１の端部３３の突出端面３９をＺ２方向に押圧する。固定手段１７ｃ２は、Ｚ１方向の突出が最低限の状態でばね１７ｃの基端部１７ｃ１を三番受１４ｃに固定し得る限り、他のどのようなものでもよい。
【００６３】
図５において、図４、図３及び図２の（ｂ）と同様な部材や部位や要素には同一の符号が付され、部分的に異なる部材や部位や要素には後に添字ｃが付されている。
【００６４】
図５に示したパワーリザーブ表示装置１ｃを有する腕時計２ｃでは、パワーリザーブ機構３ｃにおいて、針座１７ｂが板ばね１７ｃに変更されている点を除いて、図４に示したパワーリザーブ機構３ｂを備えたパワーリザーブ表示装置１ｂを有する腕時計２ｂと同様に構成されており、その動作も実際上同様である。なお、板ばね１７ｃは最後に三番受１４ｃに固定されればよいので、針座１７ｂを用いる場合と比較して、組付けが容易になる。
【００６５】
最大パワーリザーブ量が二段階で調整可能な構造である代わりに、三段階以上で調整可能になっていてもよい。図６〜図８には、最大パワーリザーブ量が二段階で調整可能な構造の時計が示されている。
【００６６】
図６において、図１及び図２の（ａ）と同様な部材や部位や要素には同一の符号が付され、部分的に異なる部材や部位や要素には後に添字ｄが付されている。
【００６７】
図６に示したパワーリザーブ表示装置１ｄを有する腕時計２ｄでは、パワーリザーブ機構３ｄの遊星伝え車２０ｄが、遊星伝え歯車２２ｄ及び第一の遊星伝えかな２３ｄに加えてもう一つの遊星伝えかな即ち第二の遊星伝えかな２４を同軸に有する。また、中心軸線Ｂの延在方向に関する遊星伝え歯車２２ｄ並びに第一及び第二の遊星伝えかな２３ｄ，２４の間隔は、パワーリザーブ機構３における遊星伝え歯車２２と遊星伝えかな２３との間隔よりも大きく、第二太陽車４０の歯車部が間に遊嵌され得る大きさである。遊星伝え真２１ｄもパワーリザーブ機構３の対応部材２１よりも長い。
【００６８】
また、パワーリザーブ表示装置１ｄのパワーリザーブ機構３ｄでは、第二太陽車４０ｄが、第二太陽歯車として、中径歯車部４２ｄ及び大径歯車部４３ｄに加えて、小径歯車部４５を同軸に有する。中心軸線Ｄの延在方向に関する第二太陽車４０ｄの太陽歯車部４２ｄ，４３ｄ，４５間の間隔は、パワーリザーブ機構３，３ａ，３ｂ，３ｃにおける第二太陽車４０の太陽歯車部４２，４３間の間隔よりも大きい。
【００６９】
更に、この腕時計２ｄのパワーリザーブ機構３ｄでは、第二太陽真４１ｄや第二太陽かな４４ｄがパワーリザーブ機構３の第二太陽真４１や第二太陽かな４４よりも長く、それに応じて、第一太陽真３１ｄがパワーリザーブ機構３の第一太陽真３１よりも長い。加えて、このパワーリザーブ機構３ｄでは、第一及び第二太陽真３１ｄ，４１ｄのＺ１，Ｚ２方向変位量を大きくとり得るように、遊星中間車６０ｄの遊星中間歯車６２ｄや遊星車５０ｄの遊星真５１ｄや穴石１７ｄがパワーリザーブ機構３の遊星中間車６０の遊星中間歯車６２や穴石１７よりも軸方向に長い。三番受１４ｄの凹部Ｈｄや地板７ｄの凹部も深くなっている。また、巻印中間車７５ｄの歯車７７ｄ及び真７６ｄや巻印車８０ｄの真８１ｄも、パワーリザーブ機構３の巻印中間車７５の歯車７７及び真７６や巻印車８０の真８１よりも軸方向に長い（厚い）。
【００７０】
腕時計２ｄでは、最大パワーリザーブ量が最大になるように第一太陽真３１ｄがＺ１方向に偏倚した位置Ｐ１ｄを採り、最小径である第二の遊星伝えかな２４と第二太陽車４０ｄのうち大径の太陽歯車部４５とが噛合している。この状態における最大パワーリザーブ量が、７２時間である場合、例えば、遊星伝え車２０ｄの遊星伝え歯車２２ｄ及び第二の遊星伝えかな２４が、夫々、パワーリザーブ機構３の遊星伝え歯車２２及び遊星伝えかな２３と同一の径及び歯数で、第二太陽車４０ｄの大径歯車４３ｄがパワーリザーブ機構３の第二太陽車４０の大径歯車４３と同一の径及び歯数であり得る。その場合、図６に示した状態で相互に噛合ないし係合している他の歯車やかなもパワーリザーブ機構３の対応する歯車やかなと同一の径及び歯数であり得る。この時計２ｄのパワーリザーブ表示装置１ｄは、当然ながら、図１の時計２のパワーリザーブ表示装置１と同様に動作する。
【００７１】
図６に示した時計２ｄ（最大パワーリザーブ量７２時間）の最大パワーリザーブ量を６０時間に変えた時計２ｅは、図７に示した形態になる。図７の香箱は図３の香箱９ａと同一である。図７において、図６や図３と同様な部材や部位や要素には同一の符号が付され、部分的に異なる部材や部位や要素には後に添字ｅが付されている。
【００７２】
時計２ｅでは、穴石１７ｄを図１に示したような厚さの薄い穴石１７ｅ１に変更すると共に図３に示したような穴石１７ａと同様な穴石１７ｅ２を軸受１６側に装着することにより、第一太陽真３１ｄがＺ１方向に一段階だけ変位された状態Ｐ２ｅに設定されている。図１に示した穴石１７ｅ１および穴石１７ｅ２は同じ形状であるが異なった形状でもよい。この状態Ｐ２ｅでは、図７からわかるとおり、歯車４３ｄとかな部２４との噛合が解除され、その代わりに、第二太陽車４０ｄの中径歯車４２ｄが遊星伝え車２０ｄのかな部２３ｄに噛合されている。この状態では、角穴車１２に噛合した遊星伝え車２２ｄの回転に伴って回転される第一の遊星伝えかな２３ｄにより第二太陽車４０ｄの中径歯車部４２ｄが回転されるので、図３に示した場合と比較して、歯車２３ｄ，４２ｄの径や歯数が多少異なる。従って、歯車５３ｅ，３７ｅの径や歯数も図３に示した場合とは多少異なる。その他の点については、図７の状態は、図３に示した状態と同様であり、時計２ｅのパワーリザーブ表示装置１ｅは、図３の時計２ａのパワーリザーブ表示装置１ａと同様に動作する。
【００７３】
図６及び図７に示した時計２ｄ（最大パワーリザーブ量７２時間）及び２ｅ（最大パワーリザーブ量６０時間）の最大パワーリザーブ量を４８時間に変えた時計２ｆは、図８に示した形態になる。図８の香箱９ｆはぜんまい１３ｆが更に短くなっている点を除き図７の香箱９ａと同一である。図８において、図７と同様な部材や部位や要素には同一の符号が付され、部分的に異なる部材や部位や要素には後に添字ｆが付されている。
【００７４】
時計２ｆでは、穴石１７ｅ１を取除くと共に軸受１６側の穴石１７ｅ２を図６に示したような厚さの厚い穴石１７ｄに変更することにより、第一太陽真３１ｄがＺ１方向に最大限偏倚された状態Ｐ３に設定されている。この状態Ｐ３では、図８からわかるとおり、歯車４２ｄとかな部２３ｄとの噛合が解除され、その代わりに、第二太陽車４０ｄの小径歯車４５が遊星伝え車２０ｄの歯車部２２ｄに噛合されている。この状態では、角穴車１２に噛合した遊星伝え車２２ｄの回転に応じて第二太陽車４０ｄの小径歯車部４２ｄが直接回転される。この回転の伝達形態は、図３に示した時計２ａのパワーリザーブ機構３ａの場合と同様である。但し、角穴車１２のより少ない回転に応じて同一の扇形表示領域８６に対して表示指針８４が回動され得るように、第二遊星歯車５５ｆ及び第一太陽歯車３７ｆの径や歯数が異なる。その他の点については、図８の状態は、図３に示した状態と同様であり、時計２ｆのパワーリザーブ表示装置１ｆは、フルスパンが６０時間の代わりに４８時間である点を除き、図３の時計２ａのパワーリザーブ表示装置１ａと同様に動作する。
【００７５】
なお、三段階で最大パワーリザーブ量を変更可能にする場合であって且つ時計の厚さを最小限に押えるためには、例えば、図９に示したような歯車構成及び配置を採るようにしてもよい。図９に関連部分のみを部分的に示したパワーリザーブ機構３ｇを備えたパワーリザーブ表示装置１ｇを有する腕時計２ｇでは、三つの歯車部２２，２３，２５を備えた遊星伝え車２０ｇ及び三つの太陽歯車部４２，４３，４６を備えた第二太陽車４０ｇが、順に配置されている。遊星伝え車２０ｇの歯車部２２及び２３、並びに第二太陽車４０ｇの太陽歯車部４２及び４３は、夫々、図１に示した遊星伝え車２０の歯車部２２及び２３、並びに第二太陽車４０の太陽歯車部４２及び４３と同一の径及び歯数のものからなる。歯車部２２，４２が噛合する位置では、図３の例と同様に最大パワーリザーブ量が６０時間で、歯車部２３，４３が噛合する図示の位置では、図１の例と同様に最大パワーリザーブ量が７２時間である。一方、第一太陽真（図示せず）をＺ２方向に変位させて歯車部２５，４６を噛合させた場合、最大パワーリザーブ量が例えば４８時間になるように、歯車部２５，４６の径及び歯数が調整される。なお、このとき、第二遊星歯車５３及び第一太陽歯車３７の径及び歯数を適宜調整しておくことは、図３における６０時間への変更の際の調整と同様である。このパワーリザーブ機構３ｇでは、三枚の中間の太陽歯車を最大径にしているので、太陽歯車一枚分だけＺ１方向又はＺ２方向に太陽歯車の位置をずらす（変位させる）だけで、他の二種類の噛合が可能であるから、三種類の歯車部を予め備えた共通部品を準備しておくにもかかわらず、全体の厚さを最小限に抑え得る。
【００７６】
更に、第二太陽真に複数の第二太陽歯車部を予め同心に取付けておく代わりに、所定の径及び歯数の歯車部を一つだけ交換して取付けるようにしてもよい。
【００７７】
図１０には、図１と同様に最大パワーリザーブ量が二段階で変更可能な遊星伝え車２０に対して、一つの第二太陽歯車部４３を備えたパワーリザーブ機構３ｈを有するパワーリザーブ表示装置１ｈを具備する腕時計２ｈが示されている。図１０の腕時計２ｈにおいて、図１の腕時計２の部品や部位や要素と同一のものには同一の符号が付され、部分的に異なるものには最後に添字ｈが付されている。
【００７８】
腕時計２ｈは、第二太陽車４０ｈの第二太陽歯車部４３が一つだけであって歯車部４２を欠くことから第二及び第一太陽真４１ｈ，３１ｈのＺ方向長さが短く三番受１４ｈのＺ方向厚さが薄く、且つ太陽真３１ｈ，４１ｈをＺ方向に変位させることなく位置Ｐ３に維持すればよいことから軸受部１５ｈに余分の穴石１７を要しない点を除いて、図１の腕時計２と同様な構造で且つ腕時計２と実際上同様に動作する。即ち、パワーリザーブ表示装置１ｈは、最大パワーリザーブ量が７２時間フルスケールでパワーリザーブ量の表示をする。
【００７９】
一方、図１１には、図３と同様に最大パワーリザーブ量が二段階で変更可能な遊星伝え車２０に対して、一つの第二太陽歯車部４２を備えたパワーリザーブ機構３ｊを有するパワーリザーブ表示装置１ｊを具備する腕時計２ｊが示されている。図１１の腕時計２ｊにおいて、図１や図３や図１０の腕時計２，２ａ，２ｈの部品や部位や要素と同一のものには同一の符号が付され、部分的に異なるものには最後に添字ｊが付されている。
【００８０】
腕時計２ｊは、第二太陽車４０ｊの一つだけある太陽歯車部が、遊星伝え歯車２２に直接噛合する歯車部４２である点を除いて、図１０に示したパワーリザーブ表示装置１ｈと同様である。この例では、第二太陽かな４４ｊが軸方向に長いけれども、第二太陽歯車４２が第二太陽真４１ｈに所定位置で固定され得る限り、第二太陽かな４４ｊは図１０と同程度の長さでもよい。なお、遊星伝え車２０と第二太陽車４０ｊとの結合が遊星伝え歯車２２と第二太陽歯車４２との噛合によって行われていることから、それに応じて、最大パワーリザーブ量が６０時間になるように、遊星車５０ａの第二遊星歯車５３ａ及び第一太陽車２０ａの第一太陽歯車３７ａの径や歯数が調整されていることは、図３のパワーリザーブ表示装置１ａの場合と同様である。
【００８１】
図１２には、図６と同様に最大パワーリザーブ量が三段階で変更可能な遊星伝え車２０ｋに対して、一つの第二太陽歯車部４３ｄを備えたパワーリザーブ機構３ｋを有するパワーリザーブ表示装置１ｋを具備する腕時計２ｋが示されている。図１０の腕時計２ｋにおいて、図６の腕時計２ｄの部品や部位や要素と同一のものには同一の符号が付され、部分的に異なるものには最後に添字ｋが付されている。
【００８２】
腕時計２ｋのパワーリザーブ機構３ｋでは、図６のパワーリザーブ機構３ｄと比較して、遊星伝え車２０ｋを構成する歯車２２ｄ及びかな部２３ｄ，２４間の軸方向間隔が短く、遊星伝え真２１ｋの長さが短い。腕時計２ｋは、図６の腕時計２ｄと比較して、第二太陽車４０ｋの第二太陽歯車部４３ｄが一つだけであって歯車部４２，４５を欠くことから第二及び第一太陽真４１ｋ，３１ｋのＺ方向長さが短く三番受１４ｋのＺ方向厚さが薄く、且つ太陽真３１ｋ，４１ｋをＺ方向に変位させることなく位置Ｐ３に維持すればよいことから軸受部１５ｈに余分の穴石１７を要しない点を除いて、図６の腕時計２ｄと同様な構造で且つ腕時計２ｄと実際上同様に動作する。即ち、パワーリザーブ表示装置１ｋは、最大パワーリザーブ量が７２時間フルスケールでパワーリザーブ量の表示をする。
【００８３】
一方、図１３には、図１２と同様に最大パワーリザーブ量が三段階で変更可能な遊星伝え車２０ｋに対して、一つの第二太陽歯車部４２ｄを備えたパワーリザーブ機構３ｍを有するパワーリザーブ表示装置１ｍを具備する腕時計２ｍが示されている。図１３の腕時計２ｍにおいて、図１２や図７の腕時計２ｋ，２ｅの部品や部位や要素と同一のものには同一の符号が付され、部分的に異なるものには最後に添字ｍが付されている。
【００８４】
腕時計２ｍのパワーリザーブ表示装置１ｍは、第二太陽車４０ｍの一つだけある太陽歯車部が、遊星伝えかな２３ｄに噛合する歯車部４２ｄである点を除いて、図１２に示したパワーリザーブ表示装置１ｋと同様である。この例では、第二太陽かな４４ｍが軸方向に長いけれども、第二太陽歯車４２ｄが第二太陽真４１ｋに所定位置で固定され得る限り、第二太陽かな４４ｍは図１２と同程度の長さでもよい。なお、遊星伝え車２０ｋと第二太陽車４０ｍとの結合が遊星伝え歯車２３と第二太陽歯車４２ｄとの噛合によって行われていることから、それに応じて、最大パワーリザーブ量が６０時間になるように、遊星車５０ｍの第二遊星歯車５３ｅ及び第一太陽車３０ｍの第一太陽歯車３７ｅの径や歯数が調整されていることは、図７のパワーリザーブ表示装置１ｅの場合と同様である。
【００８５】
更に、図１４には、図１２と同様に最大パワーリザーブ量が三段階で変更可能な遊星伝え車２０ｋに対して、一つの第二太陽歯車部４５を備えたパワーリザーブ機構３ｎを有するパワーリザーブ表示装置１ｎを具備する腕時計２ｎが示されている。図１４の腕時計２ｎにおいて、図１２や図８の腕時計２ｋ，２ｆの部品や部位や要素と同一のものには同一の符号が付され、部分的に異なるものには最後に添字ｎが付されている。
【００８６】
腕時計２ｎのパワーリザーブ表示装置１ｎは、第二太陽車４０ｎの一つだけある太陽歯車部が、遊星伝え歯車２２ｄに直接噛合する歯車部４５である点を除いて、図１２に示したパワーリザーブ表示装置１ｋと同様である。この例では、第二太陽かな４４ｎが軸方向に長いけれども、第二太陽歯車４５が第二太陽真４１ｋに所定位置で固定され得る限り、第二太陽かな４４ｎは図１２又は図１３と同程度の長さでもよい。なお、遊星伝え車２０ｋと第二太陽車４０ｎとの結合が遊星伝え歯車２２ｄと第二太陽歯車４５との噛合によって行われていることから、それに応じて、最大パワーリザーブ量が４８時間になるように、遊星車５０ｎの第二遊星歯車５３ｆ及び第一太陽車３０ｎの第一太陽歯車３７ｆの径や歯数が調整されていることは、図８のパワーリザーブ表示装置１ｆの場合と同様である。
【００８７】
以上において、地板や三番受や日車押えの一部又は全部は、他の名称で呼ばれる部材でもよい。
【図面の簡単な説明】
【００８８】
【図１】本発明の好ましい一実施例のパワーリザーブ表示装置を備えた本発明の好ましい一実施例の腕時計の一部の断面説明図。
【図２】本発明による好ましい実施例の腕時計の外観を示したもので、（ａ）は図１の腕時計の正面説明図、（ｂ）は図３の腕時計についての（ａ）と同様な正面説明図。
【図３】図１と同様な構造のパワーリザーブ表示装置であって最大パワーリザーブ量が変更されたものを備えた本発明の好ましい一実施例の腕時計の一部についての図１と同様な断面説明図。
【図４】図３のパワーリザーブ表示機構の一変形例のパワーリザーブ表示機構を備えた腕時計の一部についての図３と同様な断面説明図。
【図５】図３のパワーリザーブ表示機構の別の一変形例のパワーリザーブ表示機構を備えた腕時計の一部についての図３と同様な断面説明図。
【図６】本発明の好ましい別の一実施例のパワーリザーブ表示装置を備えた本発明の好ましい別の一実施例の腕時計の一部についての図１と同様な断面説明図。
【図７】図６と同様な構造のパワーリザーブ表示装置であって最大パワーリザーブ量が変更されたものを備えた本発明の好ましい別の一実施例の腕時計の一部についての図６と同様な断面説明図。
【図８】図６と同様な構造のパワーリザーブ表示装置であって最大パワーリザーブ量が変更されたものを備えた本発明の好ましい別の一実施例の腕時計の一部についての図６と同様な断面説明図。
【図９】図６から図８に示したパワーリザーブ表示装置の変形例のパワーリザーブ表示装置の一部を示した説明図。
【図１０】本発明の好ましい更に別の一実施例のパワーリザーブ表示装置を備えた本発明の好ましい更に別の一実施例の腕時計の一部についての図１と同様な断面説明図。
【図１１】図１と同様な構造のパワーリザーブ表示装置であって最大パワーリザーブ量が変更されたものを備えた本発明の好ましい更に別の一実施例の腕時計の一部についての図１０と同様な断面説明図。
【図１２】本発明の好ましい更に別の一実施例のパワーリザーブ表示装置を備えた本発明の好ましい更に別の一実施例の腕時計の一部についての図１と同様な断面説明図。
【図１３】図１と同様な構造のパワーリザーブ表示装置であって最大パワーリザーブ量が変更されたものを備えた本発明の好ましい更に別の一実施例の腕時計の一部についての図１１と同様な断面説明図。
【図１４】図１と同様な構造のパワーリザーブ表示装置であって最大パワーリザーブ量が変更されたものを備えた本発明の好ましい更に別の一実施例の腕時計の一部についての図１２と同様な断面説明図。
【符号の説明】
【００８９】
１，１ａ，１ｂ，１ｃ，１ｄ，１ｅ，１ｆ，１ｇ，１ｈ，１ｊ，１ｋ，１ｍ，１ｎ  パワーリザーブ表示装置
２，２ａ，２ｂ，２ｃ，２ｄ，２ｅ，２ｆ，２ｇ，２ｈ，２ｊ，２ｋ，２ｍ，２ｎ  腕時計
３，３ａ，３ｂ，３ｃ，３ｄ，３ｅ，３ｆ，３ｇ，３ｈ，３ｊ，３ｋ，３ｍ，３ｎ  パワーリザーブ機構
５  文字板
６，６ａ，６ｆ  表示部
７，７ｄ  地板
９，９ａ，９ｆ  香箱
１０  香箱歯車
１１，１１ａ，１１ｆ  香箱車
１２  角穴車
１３，１３ａ，１３ｆ  ぜんまい
１４，１４ｃ，１４ｄ，１４ｈ，１４ｋ  三番受
１５，１６  軸受
１７，１７ａ，１７ｄ１７ｅ１，１７ｅ２，１７ｆ  穴石
１７ｂ  針座
１７ｃ  板ばね（太陽かなばね）
２０，２０ｄ，２０ｋ  遊星伝え車
２１，２１ｄ，２１ｋ  遊星伝え真
２２，２２ｄ  遊星伝え歯車
２３，２３ｄ  遊星伝えかな
２４  遊星伝えかな
２５  遊星伝え歯車
３０，３０ａ，３０ｄ，３０ｅ，３０ｆ，３０ｊ，３０ｋ，３０ｍ，３０ｎ  第一太陽車
３１，３１ｄ，３１ｈ，３１ｋ  第一太陽真
３２，３３，３３ｈ，３３ｋ  ほぞ部
３７，３７ａ，３７ｅ，３７ｆ  第一太陽歯車
４０，４０ｄ，４０ｈ，４０ｊ，４０ｋ，４０ｍ，４０ｎ  第二太陽車
４１，４１ｄ，４１ｈ，４１ｋ  第二太陽真
４２，４２ｄ  第二太陽歯車
４３，４３ｄ  第二太陽歯車
４４，４４ｄ，４４ｊ，４４ｍ，４４ｎ  第二太陽かな
４５，４６  第二太陽歯車
５０，５０ａ，５０ｄ，５０ｅ，５０ｆ，５０ｍ，５０ｎ  遊星車
５１，５１ｄ  遊星真
５２  第一遊星歯車
５３，５３ａ，５３ｅ，５３ｆ  第二遊星歯車
５４，５４ｄ  第一遊星車
５５，５５ａ，５５ｄ，５５ｅ，５５ｆ  第二遊星車
６０，６０ｄ  遊星中間車
６２，６２ｄ  遊星中間歯車
７０  つめ車
７１  つめ
７３  弾性アーム部
７５  巻印中間車
７６  巻印中間真
７７  巻印中間歯車
７８  巻印中間かな
８０  巻印車
８１  巻印真
８２  巻印歯車
８３  端部
８４  表示指針
８５，８５ａ  目盛
８６  扇形領域
９１  時針
９２  分針
９３  秒針
９４  使用領域
Ｂ，Ｃ，Ｄ，Ｅ，Ｆ，Ｇ  回転中心軸線
Ｂ１，Ｂ２，Ｄ１，Ｄ２，Ｅ１，Ｅ２，Ｆ１，Ｆ２，Ｇ１，Ｇ２  回転（回動）方向
Ｈ，Ｈｄ，Ｈｈ，Ｈｋ  凹部
Ｚ  厚さ方向
Ｚ１，Ｚ２  変位（偏倚）方向
【図１】
2007147432.tif 000003
【図２】
2007147432.tif 000004
【図３】
2007147432.tif 000005
【図４】
2007147432.tif 000006
【図５】
2007147432.tif 000007
【図６】
2007147432.tif 000008
【図７】
2007147432.tif 000009
【図８】
2007147432.tif 000010
【図９】
2007147432.tif 000011
【図１０】
2007147432.tif 000012
【図１１】
2007147432.tif 000013
【図１２】
2007147432.tif 000014
【図１３】
2007147432.tif 000015
【図１４】
2007147432.tif 000016